(57)【要約】【課題】ホール側だけが灰皿の拘束状態を決定することができるようにした遊技機を提供する。【解決手段】回転軸２１ｅを軸受溝２５の縦溝２５ａの下端から横溝２５ｂの手前側の端に来るように移動し、灰皿２１を１８０度回転して灰受け凹部２１ａを下方に向けた後、再度、回転軸２１ｅを縦溝２５ａの下端に移動し、灰皿２１を使用不可能な位置とする。この状態で、施錠装置が施錠動作されたことがフォトインタラプタにより検知されると、電気制御によりソレノイド２６への給電が停止される。ソレノイド２６への給電が停止されると、ソレノイド２６の駆動鉄芯２６ａの一部がボビン２６ｂ内部から引き出され、駆動鉄芯２６ａの先端が灰皿２１の挿入穴２１ｄに挿入される。これにより、灰皿２１は使用不可能な位置で拘束される。【選択図】        図３
2005021512.tif 000002
【特許請求の範囲】
【請求項１】
使用可能な位置と使用不可能な位置との間で移動自在な灰皿と、遊技機本体の前面にて開閉される前面扉を施錠する施錠装置とを有する遊技機において、
前記施錠装置が施錠動作されたことを検知するセンサと、
前記灰皿を前記使用可能な位置と前記使用不可能な位置とで拘束することができるストッパーとを備え、
前記ストッパーは、前記センサにより前記施錠装置が施錠動作されたことが検知されたことに応答して、前記灰皿を前記施錠装置が施錠動作されたときの位置で拘束することを特徴とする遊技機。
【請求項２】
前記ストッパーは、前記センサにより前記施錠装置が解錠動作されたことが検知されたことに応答して、前記灰皿の拘束を解除することを特徴とする請求項１記載の遊技機。
【請求項３】
使用可能な位置と使用不可能な位置との間で移動自在な灰皿と、遊技機本体の前面にて開閉される前面扉を施錠する施錠装置とを有する遊技機において、
前記灰皿を前記使用可能な位置又は前記使用不可能な位置のいずれか一方で拘束する第一位置と、前記灰皿の移動を許容する第二位置との間で移動されるストッパーと、
前記施錠装置の施錠動作に連動して、前記ストッパーを前記第二位置から前記第一位置へ移動させるとともに、前記施錠装置の解錠動作に連動して、前記ストッパーを前記第一位置から前記第二位置へ移動させる連動部材を設けたことを特徴とする遊技機。
【発明の詳細な説明】
【０００１】
【発明の属する技術分野】
本発明は、パチンコ店などの遊技場に設置して使用される遊技機に関するものである。
【０００２】
【従来の技術】
遊技場（ホール）に設置されるパチンコ機、スロットマシン等の遊技機には、払い出された遊技媒体を貯留する受皿を形成する受皿ユニットに灰皿が備えられる。このような遊技機に備えられる灰皿は、通常、およそ１８０度手前に回転可能とされて吸殻や灰などが回収されるが、遊技者にとっては、灰皿の清掃作業が遊技の邪魔となることがあるため、ホール側の計らいにより、別途の灰皿が機種間など清掃時に遊技の邪魔とならない場所に設置される場合がある。この場合、遊技機に備えられた灰皿の灰受け凹部には、灰皿使用を禁止するための蓋部材等が取り付けられる。これにより、遊技機に備えられた灰皿は清掃する必要がなくなり、別途に設けられた灰皿のみが清掃の対象となる。
【０００３】
【発明が解決しようとする課題】
上記のように遊技機に備えられた灰皿の使用を禁止するために蓋部材等を用いた場合、ホール側にとっては余計なコストを強いられる。このため、灰皿をこの灰皿の灰受け凹部が煙草の吸殻や灰等を受け入れることができる位置と、灰受け凹部が遊技者から隠れる位置などの使用することができない位置との間で移動自在とするとともに、この灰皿を使用することができない位置で拘束するストッパーを設けることにより、蓋部材等を不要とすることが考えられるが、何人でも操作可能なストッパーを設けたとしても、清掃作業の効率を高めるために使用不可能としていたはずの灰皿が使用されることにより、逆に清掃作業の効率を低下させてしまうという懸念がある。
【０００４】
本発明は、上記背景を考慮してなされたものであり、ホール側だけが灰皿の拘束状態を決定することができるようにした遊技機を提供することを目的とする。
【０００５】
【課題を解決するための手段】
上記目的を達成するために、本発明の遊技機としては、使用可能な位置と使用不可能な位置との間で移動自在な灰皿と、遊技機本体の前面にて開閉される前面扉を施錠する施錠装置とを有し、前記施錠装置が施錠動作されたことを検知するセンサと、前記灰皿を前記使用可能な位置と前記使用不可能な位置とで拘束することができるストッパーとを備え、前記ストッパーが、前記センサにより前記施錠装置が施錠動作されたことが検知されたことに応答して、前記灰皿を前記施錠装置が施錠動作されたときの位置で拘束するものである。なお、灰皿の使用可能な位置とは、灰皿の灰受け凹部が遊技者側に露呈するとともに、灰受け凹部が煙草の吸殻や灰等を受け入れることができる位置のことであり、使用不可能な位置とは、灰受け凹部が遊技者から隠れるなどして、煙草の吸殻や灰等を受け入れることができない位置のことである。
【０００６】
なお、前記ストッパーが、前記センサにより前記施錠装置が解錠動作されたことが検知されたことに応答して、前記灰皿の拘束を解除するようにするとよい。
【０００７】
また、上記目的を達成するために、本発明の遊技機としては、使用可能な位置と使用不可能な位置との間で移動自在な灰皿と、遊技機本体の前面にて開閉される前面扉を施錠する施錠装置とを有し、前記灰皿を前記使用可能な位置又は前記使用不可能な位置のいずれか一方で拘束する第一位置と、前記灰皿の移動を許容する第二位置との間で移動されるストッパーと、前記施錠装置の施錠動作に連動して、前記ストッパーを前記第二位置から前記第一位置へ移動させるとともに、前記施錠装置の解錠動作に連動して、前記ストッパーを前記第一位置から前記第二位置へ移動させる連動部材を設けたものである。
【０００８】
【発明の実施の形態】
図１は本発明を実施したスロットマシン１０を示している。スロットマシン１０の筐体１１の前面には、前面扉１２が開閉自在に設けられている。前面扉１２には、内部に組み込まれたリール１３に配列された絵柄を表示するための表示窓１４、リール１３の回転を開始させるために操作されるスタートレバー１５、回転しているリール１３を停止させるために操作されるストップボタン１６等が設けられる他、前面扉１２を開閉する際に用いられる鍵が挿入されるキーシリンダー１７、受皿ユニット１８が設けられている。受皿ユニット１８は、払出口１９より払い出されたメダルを貯留しておく受皿２０と灰皿２１とから構成されている。なお、図において灰皿２１は、灰受け凹部（図２参照）２１ａが上方を向いた状態で遊技者側に露呈し、煙草の吸殻や灰等を受け入れることができる使用可能な位置とされているが、詳細は後述するが、この使用可能な位置から灰受け凹部が下方を向いて遊技者から隠れ、煙草の吸殻や灰等を受け入れることができない使用不可能な位置に移動することができる。
【０００９】
図２に示すように、受皿ユニット１８には灰皿２１を設置するための灰皿設置部２２が形成されている。灰皿設置部２２の奥面には、スロットマシン１０の内部に貫通した貫通孔２３、灰皿２１の後部を支持するための支持部２４が設けられている。灰皿設置部２２の両側面には軸受溝２５が形成されており、この軸受溝２５は縦溝２５ａ及び横溝２５ｂからなる
【００１０】
灰皿２１は立体形状であり、その上面には灰受け凹部２１ａが形成されている。この灰受け凹部２１ａから灰皿２１の手前方向に連なって煙草を置くための溝２１ｂが形成されている。前面及び後面には、灰皿設置部２２の貫通孔２３と同径の挿入穴２１ｃ，  ２１ｄがそれぞれ設けられている。左右両側面には、灰皿設置部２２の軸受溝２５に収められる回転軸２１ｅが突設している。なお、灰皿２１を灰皿設置部２２に設置する際には、受皿ユニット１８を分割することにより回転軸２１ｅを軸受溝２５に収めることができる。
【００１１】
次に、灰皿２１が使用可能な位置と使用不可能な位置との間で移動する仕組みを図３を用いて説明する。図３（Ａ）のように灰皿２１が使用可能な位置である場合には、回転軸２１ｅは軸受溝２５の縦溝２５ａの下端に位置している。この状態から灰皿２１を引き上げ手前に引くことで、回転軸２１ｅを横溝２５ｂの手前側の端に来るように移動する。これにより、灰皿２１は支持部２４からの支持を受けなくなり、図３（Ｂ）のように回動自在となる。そして、灰皿２１を使用可能な位置から１８０度回動させ灰受け凹部２１ａを下方に向けた後、灰皿２１を奥に押し込み押し下げ、回転軸２１ｅを縦溝２５ａの下端に移動することで、図３（Ｃ）のように灰皿２１が使用不可能な位置で支持部２４に支持される。これをもって、灰皿２１を使用可能な位置から使用不可能な位置に移動することができる。また、同様の操作を行うことにより、逆に使用不可能な位置から使用可能な位置に移動することもできる。
【００１２】
なお、灰皿設置部２２の背後のスロットマシン１０内部には、ソレノイド２６が設けられている。このソレノイド２６の駆動鉄芯２６ａの先端は、通常、貫通孔２３を通り抜け灰皿２１の挿入穴２１ｃ又は挿入穴２１ｄに挿入されている。これにより、灰皿２１を移動しようとしても駆動鉄芯２６ａの先端が挿入穴２１ｃ又は挿入穴２１ｄに引っ掛かり灰皿２１の移動が規制されるので、灰皿２１は規制を受けた位置で拘束されることになる。また、ソレノイド２６に給電が行われると、駆動鉄芯２６ａの一部がボビン２６ｂ内部に引き込まれて、駆動鉄芯２６ａの先端は灰皿設置部２２側に通り抜けない程度に貫通孔２３に挿入された状態となり、灰皿２１の移動が許容される。この灰皿２１の移動が許容された状態において、上記のように、灰皿２１が使用可能な位置と使用不可能な位置との間で移動自在となる。
【００１３】
図４及び図５に示すように、筐体１１の前面にて開閉される前面扉１２の裏側（閉じられた状態では、スロットマシン１０内部）には、この前面扉１２を施錠する施錠装置３０、施錠装置３０が施錠動作及び解錠動作されたことを検知するフォトインタラプタ３１、ソレノイド２６が設けられている。
【００１４】
施錠装置３０は、前面扉１２の裏側に固着された支持板３２、可動板３３、キーシリンダー１７、コイルバネ３４から構成されている。可動板３３には、上下に延びてガイド長孔３５が二つ設けられており、可動板３３はガイド長孔３５を介してピン３６により支持板３２に取り付けられている。これにより、可動板３３は上下方向に摺動可能となっている。
【００１５】
支持板３２には取付片３２ａが設けられており、この取付片３２ａにコイルバネ３４の一端が取り付けられる。また、コイルバネ３４の他端は、コイルバネ３４が可動板３３を上方向に付勢するように可動板３３に取り付けられている。
【００１６】
可動板３３には、斜辺３７ａと溝部３７ｂとを有する係止片３７が二つ設けられている。前面扉１２を閉める方向に押すと、筐体１１側に設けられた突出片１１ａが係止片３７の斜辺３７ａの下側から上側にかけて摺動するとともに、コイルバネ３４の付勢に抗して可動板３３が徐々に下方向にスライドしていく。そしてさらに前面扉１２を閉める方向に押すと、可動板３３はコイルバネ３４により上方向に付勢されているので、ついには突出片１１ａが斜辺３７ａを乗り越えるような形で溝部３７ｂに嵌合して、係止片３７が突出片１１ａに係止される。すなわち、施錠装置３０は、前面扉１２を閉めることにより自動的に前面扉１２を施錠する。
【００１７】
支持板３２には、キーシリンダー１７が組み付けられている。キーシリンダー１７の後面には、このキーシリンダ１７の前面より挿入された鍵の回転操作に連動して回転する回転軸１７ａが設けられている。この回転軸１７ａにはレバー３８が固着されており、回転軸１７ａと一体に回転し、可動板３３に設けられた段部３９を下方に押圧し、コイルバネ３４の付勢に抗して可動板３３を下方向にスライドさせる。このスライドにより、前面扉１２が施錠された状態において、係止片３７が突出片１１ａに係止された状態を解除することができる。すなわち、鍵の回転操作を行うことにより前面扉１２を解錠することができる。なお、前面扉１２を解錠するための鍵は、周知の通りホール側の特定の人間だけが持っているので、通常、遊技者が前面扉１２を解錠することができないようになっている。
【００１８】
可動板３３が、係止片３７が突出片１１ａに係止された状態を解除することができるまで下方向にスライドすると、可動板３３の下端部がフォトインタラプタ３１の隙間に入り込む。これにより、施錠装置３０が解錠動作されたことが検知される。施錠装置３０が解錠動作されたことが検知されると、電気制御によりソレノイド２６への給電が行われる。逆に、可動板３３が上方向にスライドされ、可動板３３の下端部がフォトインタラプタ３１の隙間から抜け出ると、施錠装置３０が施錠動作されたことが検知されて、ソレノイド２６への給電が停止される。
【００１９】
次に、上記のように構成されたスロットマシン１０の作用について説明する。先ず、図１に示すようにスロットマシン１０は、前面扉１２が施錠され、且つ灰皿２１が使用可能な位置であるとする。このとき、可動板３３の係止片３７は、筐体１１側の突出片３８に係止されている。また、可動板３３の下端部は、フォトインタラプタ３１の隙間から抜け出た状態にあるので、ソレノイド２６への給電が停止されており、ソレノイド２６の駆動鉄芯２６ａが灰皿２１の挿入穴２１ｃに挿入され、灰皿２１は使用可能な位置で拘束されている。
【００２０】
この状態において、キーシリンダー１７に鍵を挿入して回転操作を行うと、キーシリンダー１７の後面の回転軸１７ａとともにレバー３８が回動する。このレバー３８の回動により、段部３９が下方向に押圧されることにより、可動板３３は下方向にスライドする。可動板３３が下方向にスライドすると、可動板３３の係止片３７が突出片１１ａに係止された状態から解除されるとともに、可動板３３の下端部がフォトインタラプタ３１の隙間に入り込む。これにより、前面扉１２は解錠されて開閉自在となるとともに、施錠装置３０が解錠動作されたことが検知されて、電気制御によりソレノイド２６への給電が行われる。ソレノイド２６への給電が行われると、ソレノイド２６の駆動鉄芯２６ａの一部がボビン２６ｂ内部に引き込まれることで、駆動鉄芯２６ａの先端が灰皿２１の挿入穴２１ｃから抜き出る。これにより、灰皿２１の移動が許容される。
【００２１】
キーシリンダー１７に挿入した鍵の回転操作が行われた状態を維持し、灰皿２１の移動が許容された状態で、灰皿２１を引き上げ手前に引くことで、灰皿２１の回転軸２１ｅを軸受溝２５の縦溝２５ａの下端から横溝２５ｂの手前側の端に来るように移動し、灰皿２１を１８０度回転して灰受け凹部２１ａを下方に向けて、奥に押し込み押し下げ、回転軸２１ｅを縦溝２５ａの下端に移動することにより、灰皿２１が使用不可能な位置で灰皿設置部２２の支持部２４に支持されるようにする。
【００２２】
このように、灰皿２１の移動が許容された状態において、灰皿２１を使用可能な位置から使用不可能な位置に移動した後、鍵の回転操作が行われた状態を解除すると、施錠装置３０は施錠動作されて、可動板３３がコイルバネ３４の付勢により、上方向にスライドする。このスライド量が、係止片３７が突出片１１ａに係止された状態を解除することができるまでになると、可動板３３の下端部がフォトインタラプタ３１の隙間から抜き出ることにより、施錠装置３０が施錠動作されたことが検知されて、ソレノイド２６への給電が停止される。ソレノイド２６への給電が停止されると、ソレノイド２６の駆動鉄芯２６ａの一部がボビン２６ｂ内部から引き出され、駆動鉄芯２６ａの先端が灰皿２１の挿入穴２１ｄに挿入される。これにより、灰皿２１は使用不可能な位置で拘束される。
【００２３】
上記実施形態では、フォトインタラプタ３１により、施錠装置３０の施錠動作を検知して、これに基づいて電気制御によりソレノイド２６の駆動鉄芯２６ａをストッパーとして機能させるようにしたが、施錠装置３０の施錠動作に機械的に連動して、ソレノイド２６の駆動鉄芯２６ａと同様の動作を行うストッパーを設けるようにしてもよい。この場合、図６〜９に示すように、前面扉１２に施錠装置４２、第１連動部材４３、第２連動部材４４、ストッパーユニット４５を設ける。施錠装置４２は施錠装置３０とほぼ同様の構成を有し、施錠動作及び解錠動作を行う。ただし、施錠装置４２の可動板４６は、施錠装置３０の可動板３３と異なっており、その下端部に第１連動部材４３の一端が軸着されている。第１連動部材４３の他端は、第２連動部材４４に軸着されている。第２連動部材４４は、ガイド長孔４４ａを介してピン４７により支持台４８に取り付けられ、横方向に摺動可能となっている。これにより、施錠装置４２が解錠動作されて可動板４６が下方向（図８中Ａ方向）にスライドすると、第２連動部材が図８及び９中Ｂ方向にスライドする。
【００２４】
ストッパーユニット４５は、支持枠５０、可動部材５１、コイルバネ５２から構成されている。可動部材５１は、支持枠５０の内壁面にガイドされて、前後にスライドするようにしてある。支持枠５０と可動部材５１との間には、コイルバネ５２が二つ取り付けられており、可動部材５１が前方向に付勢されている。可動部材５１には、連動ピン５１ａが設けられている。この連動ピン５１ａは、施錠装置４２が解錠動作されたことにより第２連動部材４４が図８及び９中Ｂ方向にスライドすると、第２連動部材４４の一端のレバー部４４ｂに押圧される。これにより、可動部材５１がコイルバネ５２の付勢に抗して後方向（図９中Ｃ方向）にスライドする。
【００２５】
可動部材５１には、略円柱形状のストッパー５１ｂが組み付けられている。このストッパー５１ｂは、前述の実施形態でのソレノイド２６の駆動鉄芯２６ａと同様の機能を有しており、施錠装置４２が施錠された状態では、灰皿２１の挿入穴２１ｃ又は挿入穴２１ｄに挿入されて、灰皿２１の移動を拘束する。また、施錠装置４２が解錠動作されると、可動部材５１と一体に後方向にスライドして、灰皿２１の挿入穴２１ｃ又は挿入穴２１ｄから抜け出て、灰皿２１の移動を許容するようになる。これにより、本実施形態においても、前述の実施形態と同様に、施錠装置４２が解錠動作された状態で、灰皿２１を使用可能な位置と使用不可能な位置との間で切り替え、施錠装置４２が施錠動作されることにより、灰皿２１を切り替えた位置で拘束することができるようになる。
【００２６】
なお、上記各実施形態では、灰皿２１を回転することにより、灰受け凹部２１ａが上方を向いた使用可能な位置から、灰受け凹部２１ａが下方を向いた使用不可能な位置に切り替えるようにしたが、例えば、灰皿をスライドさせることにより、使用不可能な位置では、灰受け凹部が遊技機内に納まり隠れるようにするなど、灰皿の位置を切り替える機構は適宜としてよい。
【００２７】
なお、上記各実施形態は、スロットマシンを例に取り上げているが、灰皿が設けられたパチンコ機等の遊技機においても本発明は適用可能である。
【００２８】
【発明の効果】
以上のように、本発明の遊技機は、使用可能な位置と使用不可能な位置との間で移動自在な灰皿と、遊技機本体の前面にて開閉される前面扉を施錠する施錠装置とを有し、前記施錠装置が施錠動作されたことを検知するセンサと、前記灰皿を前記使用可能な位置と前記使用不可能な位置とで拘束することができるストッパーとを備え、前記ストッパーが、前記センサにより前記施錠装置が施錠動作されたことが検知されたことに応答して、前記灰皿を前記施錠装置が施錠動作されたときの位置で拘束するものであり、また、使用可能な位置と使用不可能な位置との間で移動自在な灰皿と、遊技機本体の前面にて開閉される前面扉を施錠する施錠装置とを有し、前記灰皿を前記使用可能な位置又は前記使用不可能な位置のいずれか一方で拘束する第一位置と、前記灰皿の移動を許容する第二位置との間で移動されるストッパーと、前記施錠装置の施錠動作に連動して、前記ストッパーを前記第二位置から前記第一位置へ移動させるとともに、前記施錠装置の解錠動作に連動して、前記ストッパーを前記第一位置から前記第二位置へ移動させる連動部材を設けたものであるので、灰皿の灰受け凹部に取り付ける蓋部材等が不要となり、ホール側の余計なコスト負担がなくなる。更に、ホール側だけが灰皿を使用不可能な位置で拘束することができるので、勝手に灰皿が使用されることで、清掃作業の効率が低下することもない。
【図面の簡単な説明】
【図１】本発明で用いたスロットマシンを示す斜視図である。
【図２】受皿ユニットを示す斜視図である。
【図３】灰皿の移動を示す断面図である。
【図４】前面扉の裏側を示す斜視図である。
【図５】施錠装置を示す斜視図である。
【図６】前面扉の裏側を示す斜視図である。
【図７】ストッパーユニットを示す斜視図である。
【図８】施錠装置の可動部の下端部と、この可動部のスライドに連動する第１連動部材の一部とを示す平面図である。
【図９】第２連動部材とストッパーユニットとを示す平面図である。
【符号の説明】
１０  スロットマシン
１１  筐体
１２  前面扉
２１  灰皿
２１ｃ，  ２１ｄ  挿入穴
２１ｅ  回転軸
２２  灰皿設置部
２３  貫通孔
２４  支持部
２５  軸受溝
２５ａ  縦溝
２５ｂ  横溝
２６  ソレノイド
２６ａ  駆動鉄芯
３０，  ４２  施錠装置
３１  フォトインタラプタ
３３，  ４６  可動板
４３  第１連動部材
４４  第２連動部材
４４ｂ  レバー部
４５  ストッパーユニット
５１  可動部材
５１ａ  連動ピン
５１ｂ  ストッパー
【図１】
2005021512.tif 000003
【図２】
2005021512.tif 000004
【図３】
2005021512.tif 000005
【図４】
2005021512.tif 000006
【図５】
2005021512.tif 000007
【図６】
2005021512.tif 000008
【図７】
2005021512.tif 000009
【図８】
2005021512.tif 000010
【図９】
2005021512.tif 000011